(57)【要約】【課題】  ユーザー等による任意実装がなされても最適な駆動信号を生成できる表示装置の駆動装置を提供する。【解決手段】  表示装置駆動用の駆動信号を生成する駆動信号生成部を有し、該表示装置をその外部から駆動する、表示装置の駆動装置であって、上記駆動信号生成部が表示装置に出力する試験駆動信号および該試験駆動信号に対する表示装置からのフィードバック信号を比較する比較部と、該比較部の比較結果に基づいて駆動信号生成部の設定を行う調整部とを備える。【選択図】  図１
2006267942.tif 000002
【特許請求の範囲】
【請求項１】
表示装置駆動用の駆動信号を生成する駆動信号生成部を有し、該表示装置をその外部から駆動する、表示装置の駆動装置であって、
上記駆動信号生成部が表示装置に出力する試験駆動信号および該試験駆動信号に対する表示装置からのフィードバック信号を比較する比較部と、
該比較部の比較結果に基づいて駆動信号生成部の設定を行う調整部とを備えることを特徴とする表示装置の駆動装置。
【請求項２】
表示装置を駆動するための駆動信号を生成する駆動信号生成部を有し、該表示装置をその外部から駆動する表示装置の駆動装置であって、
上記駆動信号生成部は、表示装置に出力した試験駆動信号と該試験駆動信号に対する表示装置からのフィードバック信号との差異に基づいて上記駆動信号を生成することを特徴とする表示装置の駆動装置。
【請求項３】
上記比較部は、試験駆動信号の位相とフィードバック信号の位相を比較することを特徴とする請求項１記載の表示装置の駆動装置。
【請求項４】
上記試験駆動信号は、表示装置に形成された複数のダミー配線を経由した後にフィードバックされることを特徴とする請求項１記載の表示装置の駆動装置。
【請求項５】
上記ダミー配線には、データ信号線に沿って形成された複数のダミー配線が含まれることを特徴とする請求項４記載の表示装置の駆動装置。
【請求項６】
上記ダミー配線には、走査信号線に沿って形成された複数のダミー配線が含まれることを特徴とする請求項４記載の表示装置の駆動装置。
【請求項７】
上記ダミー配線には、表示装置における非表示領域の画素部を通過するダミー配線が含まれることを特徴とする請求項５または６記載の表示装置の駆動装置。
【請求項８】
請求項４に記載の表示装置の駆動装置によって駆動される表示装置であって、
上記表示装置の駆動装置に接続可能な複数のダミー配線を有することを特徴とする表示装置。
【請求項９】
上記ダミー配線には、データ信号線に沿って形成された複数のダミー配線が含まれることを特徴とする請求項８記載の表示装置。
【請求項１０】
上記ダミー配線には、走査信号線に沿って形成された複数のダミー配線が含まれることを特徴とする請求項８記載の表示装置。
【請求項１１】
請求項８〜１０のいずれか１項に記載の表示装置を備えたことを特徴とする液晶表示装置。
【発明の詳細な説明】
【技術分野】
【０００１】
本発明は、表示パネルをパネル外部から駆動する駆動ＩＣ（外部駆動装置）に関する。
【背景技術】
【０００２】
表示パネル（例えば、ＬＣＤモジュール）のコスト低減を図るため、図８に示すように、表示パネルの外部駆動装置を、ユーザー側の回路基板に実装する手法が提案されている。
【０００３】
まず、図８を用いて、表示パネル（ＬＣＤ）およびこれを駆動する外部駆動装置の一動作例を簡単に説明しておく。同図に示されるように、表示パネル１０２は、ソースドライバ１０３と、ゲートドライバ１０５と、ソースラインｓ１〜ｓｎと、ゲートラインｇ１〜ｇｍと、薄膜トランジスタＴｒ（１，１）〜（ｎ，ｍ）とを備える。ソースドライバ１０３はソースシフトレジスタ１０８およびサンプリング（スイッチ）回路１１８を備え、ゲートドライバ１０５はゲートシフトレジスタ１０９およびサンプリング（スイッチ）回路１１９を備える。一方、外部駆動装置１０１は、ソース駆動信号発生器１２１およびゲート駆動信号発生器１２２を有する駆動信号発生器１２０と、ＤＡ変換器１１１と、レベルシフタ１１２とを備えており、表示パネル１０２側のソースドライバ１０３およびゲートドライバ１０５を制御する。
【０００４】
表示パネル１０２の薄膜トランジスタＴｒ（１，１）〜（ｎ，ｍ）は、ソースラインｓ１〜ｓｎとゲートラインｇ１〜ｇｍとの交点近傍に設けられる。例えば、ソースラインｓｉ（ただし、ｉは、１≦ｉ≦ｎの整数、以下同様）と、ゲートラインｇｊ（ただし、ｊは、１≦ｊ≦ｍの整数、以下同様）との交点近傍にはＴｒ（ｉ，ｊ）が設けられる。この薄膜トランジスタＴｒ（ｉ，ｊ）は、そのソース電極がソースラインｓｉに接続され、そのゲート電極がゲートラインｇｊに接続され、そのドレイン電極が図示しない画素容量に接続される。この画素容量には、ソースラインｓｉ並びに薄膜トランジスタＴｒ（ｉ，ｊ）のソース電極およびドレイン電極を介して、ソースドライバ１０３からの信号電圧が書き込まれる。
【０００５】
外部駆動装置１０１は、外部からの入力映像データ（デジタルデータ）をＤＡ変換器１１１でアナログ信号とし、該アナログ信号をレベルシフタ（あるいはアンプ）１１２によってパネル駆動に適切な電圧レベルとするとともに、ソースドライバ１０３およびゲートドライバ１０５を以下のように制御する。
【０００６】
すなわち、映像信号源１３３から駆動信号生成器１２０への入力信号に基づいて、ゲート駆動信号発生器１２２がゲートドライバ１０５にゲート駆動信号を出力し、任意の１ゲートラインｇｊを選択するとともに、ソース駆動信号発生器１２１がソース駆動信号をシフトレジスタ１０８に出力し、サンプリング（スイッチ）回路１１８をＯＮ／ＯＦＦさせる。これにより、映像信号源１３３からＤＡ変換器１１１およびレベルシフタ１１２を介して出力された１ライン（ゲートライン）分の映像データ（アナログ信号）が、ソースラインｓ１〜ｓｎおよび薄膜トランジスタＴｒ（１，ｊ）〜（ｎ，ｊ）を介して各画素容量に書き込まれる。
【０００７】
この工程（一水平期間の工程）を全ゲートライン（ｇ１〜ｇｍ）につき順次行うことで、全ての薄膜トランジスタＴｒ（１，１）〜（ｎ，ｍ）に繋がる画素容量に信号が書き込まれ、表示パネル１０２の表示が行われる。
【０００８】
なお、ソースラインｓ１〜ｓｎの駆動方式には、サンプリング（スイッチ）回路１１６から全ソースラインｓ１〜ｓｎに同時に信号（電位）を与える方式や、サンプリング（スイッチ）回路１１６によって任意のソースラインｓｉを選択し、選択されたソースラインに信号電圧を与える方式等を挙げることができる。なお、各方式に従って、表示パネル１０２あるいは外部駆動装置１０１には、適当な回路（例えば、ラッチ回路やホールド回路）等が設けられる。
【０００９】
図８に戻って、外部駆動装置１０１を、表示パネルではなくユーザー（例えば、セットメーカー）側の回路基板に実装する場合（例えば、外部駆動装置１０１のレジスタに初期タイミング設定値を記憶させておき、駆動信号発生器１２１が駆動開始前の初期設定としてレジスタから設定値を読み込み、該設定値に基づいて駆動信号を生成する場合）、外部駆動装置１０１の実装状態や配置状態はユーザーでの設計に任せることになる。
【００１０】
すなわち、外部駆動装置１０１・表示パネル１０２間の配線抵抗や寄生容量あるいはノイズ等（図６参照）をあらかじめ把握することができず、信号伝達に関するパラメータ（信号遅延時間等、図６および図７のグラフ（ａ）〜（ｃ）参照）が想定できないことになる（上記パラメータはユーザー側の機密情報に関わることもあり、入手することが難しい）。それゆえ、ゲート駆動信号やソース駆動信号のタイミング設定を最適にすることが非常に困難である。一方で、表示パネルの配線遅延時間等パネル側の固有パラメータをユーザー側に伝えることはパネル側の機密情報に関わることもあり、これも難しい。
【００１１】
なお、特許文献１には、遅延時間が異なる２以上の遅延回路を並列した遅延調節回路を設けてＴＦＴの特性を検出し、クロック信号の遅延時間を適宜調節する構成が開示されている。また、特許文献２には、信号線ドライバ内のシフトレジスタを構成するＴＦＴの特性ばらつきによる信号線の選択期間と映像信号の位相関係のずれを解消するために、末端ブロックに供給された制御信号と基準パルスとを位相比較器で比較し、その位相差に応じてタイミングコントローラから出力されるクロックパルスの位相を補正する位相補正回路を設ける構成が開示されている。しかしながら、この特許文献１・２記載の構成では表示装置内のＴＦＴの特性ばらつきに起因する問題を解決できても、表示装置に対して任意実装された駆動装置（駆動ＩＣ）のゲート駆動信号やソース駆動信号のタイミングを最適化することはできない。
【００１２】
そこで、駆動ＩＣをユーザー側で任意実装する場合、駆動信号のタイミングに時間的余裕（信号が少々遅延しても問題ない程度の余裕）をもたせて駆動タイミングを設計していた。
【特許文献１】特開２０００−１９３９３４公報（公開日：２０００年７月１４日）
【特許文献２】特開２００１−２２８８２７公報（公開日：２００１年８月２４日）
【発明の開示】
【発明が解決しようとする課題】
【００１３】
しかしながら、このように駆動信号のタイミングに時間的余裕を持たせると、消費電力が増大し、また、動画等の高速表示も難しくなるといった問題がある。
【００１４】
本発明は、上記課題に鑑みてなされたものであり、その目的は、ユーザー等による任意実装がなされても最適な駆動信号を生成できる表示装置の駆動装置を提供する点にある。
【課題を解決するための手段】
【００１５】
本発明の表示装置の駆動装置は、上記課題を解決するために、表示装置駆動用の駆動信号を生成する駆動信号生成部を有し、該表示装置をその外部から駆動する、表示装置の駆動装置であって、上記駆動信号生成部が表示装置に出力する試験駆動信号および該試験駆動信号に対する表示装置からのフィードバック信号を比較する比較部と、該比較部の比較結果に基づいて駆動信号生成部の設定を行う調整部とを備えることを特徴としている。
【００１６】
上記構成によれば、比較部において試験駆動信号および表示装置からのフィードバック信号が比較され、その比較結果に基づいて調整部が駆動信号生成部の設定を行う。すなわち、ユーザー等によって実装された後の信号遅延等を検出し、これを駆動信号の生成に反映させる。これにより、ユーザー等による任意実装がなされても最適な駆動信号を生成し、これを表示装置に出力することができる。この結果、該表示装置の表示品位向上や省電力化を実現することができる。
【００１７】
上記の表示装置の駆動装置は、表示装置を駆動するための駆動信号を生成する駆動信号生成部を有し、該表示装置をその外部から駆動する表示装置の駆動装置であって、上記駆動信号生成部は、表示装置に出力した試験駆動信号と該試験駆動信号に対する表示装置からのフィードバック信号との差異に基づいて上記駆動信号を生成することを特徴とするものであると表現することもできる。
【００１８】
本発明の表示装置の駆動装置においては、上記比較部は、試験駆動信号およびフィードバック信号の位相ずれを比較するものであることが好ましい。上記構成によれば、信号遅延を高精度に検出することができる。
【００１９】
本発明の表示装置の駆動装置においては、上記試験駆動信号は、表示装置に形成された複数のダミー配線を経由した後にフィードバックされることが好ましい。上記構成によれば、駆動信号生成部の調整に、表示装置内での信号遅延を反映させることができる。
【００２０】
本発明の表示装置の駆動装置においては、上記ダミー配線には、データ信号線に沿って形成された複数のダミー配線が含まれていることが好ましい。上記構成によれば、駆動信号生成部の調整に、データ信号線での信号遅延を反映させることができる。
【００２１】
本発明の表示装置の駆動装置においては、上記ダミー配線には、走査信号線に沿って形成された複数のダミー配線が含まれることが好ましい。上記構成によれば、走査信号線での信号遅延を駆動信号生成部の調整に反映させることができる。
【００２２】
本発明の表示装置の駆動装置においては、上記ダミー配線には、表示装置における非表示領域の画素部を通過するダミー配線が含まれることが好ましい。上記構成によれば、画素部の構成部材（例えば、液晶）に起因する（例えば、液晶の寄生容量に起因するような）遅延が検出可能となり、これを駆動信号生成部の調整に反映させることができる。
【００２３】
また、本発明の表示装置は、上記表示装置の駆動装置によって駆動される表示装置であって、上記表示装置の駆動装置に接続可能な複数のダミー配線を有することを特徴としている。
【００２４】
上記表示装置においては、上記ダミー配線に、データ信号線に沿って形成された複数のダミー配線が含まれることが好ましい。
【００２５】
また、上記表示装置においては、上記ダミー配線に、走査信号線に沿って形成された複数のダミー配線が含まれることが好ましい。
【００２６】
本発明の液晶表示装置は、上記表示装置の駆動装置を備えたことを特徴としている。
【発明の効果】
【００２７】
以上のように、本発明によれば、ユーザー等によって実装された後の信号遅延を正確に検出することができ、これを駆動信号の生成に反映させることができる。これにより、ユーザー等による任意実装がなされても最適な駆動信号を生成でき、表示品位の向上や省電力化を実現できる。
【発明を実施するための最良の形態】
【００２８】
本発明の実施の一形態を図１〜図５に基づいて説明すれば、以下のとおりである。図１は本発明に係る駆動ＩＣの構成を示す模式図であり、図２は本発明に係る液晶モジュールの構成を示す模式図であり、図３は、上記液晶モジュールおよび駆動ＩＣを実装した場合の構成を示す模式図である。なお、本液晶モジュールおよび駆動ＩＣは、携帯電話、デジタルカメラ、ＰＤＡなどの中小型表示デバイスに好適であり、車両のインパネ等への適用も可能である。
【００２９】
図２に示されるように、液晶モジュール２（表示装置・液晶表示装置）は、ソースドライバ３と、ゲートドライバ５と、ソースラインＳ１〜Ｓｎ（データ信号線）と、ゲートラインＧ１〜Ｇｍ（走査信号線）と、ソースラインに沿ったダミーライン（ダミー配線）Ｄｓ１・Ｄｓ２・ＤＬ３と、ゲートラインに沿ったダミーライン（ダミー配線）Ｄｇ１・Ｄｇ２・Ｄｌ３と、薄膜トランジスタＴＲ（１，１）〜（ｎ，ｍ）とを備える。ソースドライバ３はソースシフトレジスタ８およびサンプリング（スイッチ）回路１８を備え、ゲートドライバ５はゲートシフトレジスタ９およびサンプリング（スイッチ）回路１９を備える。
【００３０】
なお、上記ダミーライン（Ｄｓ１・Ｄｓ２・ＤＬ３・Ｄｇ１・Ｄｇ２・Ｄｌ３）は、表示領域２ｘの外側（非表示領域）に形成された、表示自体には関係しないバスラインである。その機能としては、映像信号の立ち上がりの急峻なところをサンプリングした信号電圧をダミーライン（非表示領域）で出力させておいて、その後表示に影響がない程度に安定した信号を表示領域で用いる、あるいは、液晶モジュール製造時にソースラインおよびゲートラインのパターン欠落等で断線が生じた場合に、信号が伝送できない部分にダミーラインを使って信号を迂回させ、もとの断線部分まで信号を届ける、といった機能がある。なお、上記の各ダミーラインは、上記機能ゆえにもともと設けられているものであっても良いし、駆動信号調整用として新たに（別途）設けたものであっても構わない。
【００３１】
一方、駆動ＩＣ１（表示装置の駆動装置）は、図１に示すように、駆動信号発生器２１（駆動信号生成部）と、位相比較器２３（比較部）と、デコーダ２４、レジスタ２２および加算器２５を有する調整部２９と、信号処理部３３と、ＤＡ変換器１１と、レベルシフタ１２とを備え、調整部２９によって調整された最適な駆動信号（ゲート駆動信号・ソース駆動信号）をもって液晶モジュール２のソースドライバ３およびゲートドライバ５を制御する。この駆動ＩＣ１は液晶モジュール２とは別体で構成され、例えば、ユーザー側基板に任意実装される。
【００３２】
図２に示すように、液晶モジュール２の薄膜トランジスタＴＲ（１，１）〜（ｎ，ｍ）は、ソースラインＳ１〜ＳｎとゲートラインＧ１〜Ｇｍとの交点近傍に設けられる。例えば、ソースラインＳｉ（ただし、ｉは、１≦ｉ≦ｎの整数、以下同様）と、ゲートラインＧｊ（ただし、ｊは、１≦ｊ≦ｍの整数、以下同様）との交点近傍にはＴＲ（ｉ，ｊ）が設けられる。この薄膜トランジスタＴＲ（ｉ，ｊ）は、そのソース電極がソースラインＳｉに接続され、そのゲート電極がゲートラインＧｊに接続され、そのドレイン電極が図示しない画素容量に接続される。この画素容量には、ソースラインＳｉ並びに薄膜トランジスタＴＲ（ｉ，ｊ）のソース電極およびドレイン電極を介して、ソースドライバ３からの信号電圧が書き込まれる。
【００３３】
ここで、ダミーラインＤｓ１は、液晶モジュール２のゲートラインに沿った方向の一方（ゲートドライバ５の反対側）端部に位置する、非表示領域（表示領域２ｘの外）の画素部に、ソースラインと並行して設けられている。ダミーラインＤｓ２は、ダミーラインＤｓ１に並行するように、非画素部（画素部２ｙの外、液晶が充填されていない領域）に設けられている。ダミーラインＤＬ３は、ゲートドライバ５の外側（非画素部）に、ソースラインと並行して設けられている。
【００３４】
また、ダミーラインＤｇ１は、液晶モジュール２のソースラインに沿った方向の一方端部（ソースドライバ５の反対側端部）に位置する、非表示領域（表示領域２ｘの外）の画素部に、ゲートラインと並行して設けられている。ダミーラインＤｇ２は、ダミーラインＤｇ１に並行するように、非画素部（画素部２ｙの外、液晶が充填されていない領域）に設けられている。ダミーラインＤｌ３は、ソースドライバ３の外側（非画素部）に、ゲートラインと並行して設けられている。
【００３５】
ここで、ダミーラインＤｓ１は、一方の端でソースシフトレジスタ８に接続され、もう一方の端でダミーラインＤｓ２に接続されている。また、ダミーラインＤｓ２は、一方の端でダミーラインＤｌ３に接続され、もう一方の端でダミーラインＤｓ１に接続されている。また、ダミーラインＤＬ３は、一方の端がコネクタに接続可能で、もう一方の端でダミーラインＤｇ２に接続されている。また、ダミーラインＤｇ１は、一方の端でゲートシフトレジスタ９に接続され、もう一方の端でダミーラインＤｇ２に接続されている。また、ダミーラインＤｇ２は、一方の端でダミーラインＤＬ３に接続され、もう一方の端でダミーラインＤｇ１に接続されている。また、ダミーラインＤｌ３は、一方の端がコネクタに接続可能で、もう一方の端でダミーラインＤｓ２に接続されている。
【００３６】
次に、図１〜３を用いて、駆動ＩＣ１および液晶モジュール２の画像表示動作について説明する。本実施の形態では、駆動ＩＣ１と液晶モジュール２とがコネクタ３０（図３参照）によって接続される。
【００３７】
駆動ＩＣ１は以下のようにしてソースドライバ３およびゲートドライバ５を駆動する。信号処理部３３は、外部からの入力映像データ（デジタルデータ）に所定の映像処理を施して、ＤＡ変換器１１に出力するとともに、駆動信号発生器２１に制御信号を出力する。ＤＡ変換器１１は、信号処理部３３から入力された映像データをアナログ信号とし、該アナログ信号をレベルシフタ（あるいはアンプ）１２に出力する。レベルシフタ１２はこのアナログ信号（信号電位）をパネル駆動に適切な電圧レベルとする。
【００３８】
駆動信号発生器２１は、信号処理部３３からの制御信号を受けて、ゲートシフトレジスタ９にゲート用の駆動信号を出力し、任意の１ゲートラインＧｊを選択する（ゲートラインＧｊに繋がる全薄膜トランジスタＴＲ（１，ｊ）〜（ｎ，ｊ）のゲート電極をＯＮさせる）。これに同期するように、駆動信号発生器２１はソース用の駆動信号をソースシフトレジスタ８に出力し、サンプリング（スイッチ）回路１８をＯＮ／ＯＦＦさせる。これにより、レベルシフタ１２からの１ライン（ゲートライン）分のアナログ信号（信号電位）がソースラインＳ１〜Ｓｎおよび薄膜トランジスタＴＲ（１，ｊ）〜（ｎ，ｊ）を介して各画素容量に書き込まれる。
【００３９】
この工程（一水平期間の工程）を全ゲートライン（Ｇ１〜Ｇｍ）につき順次行うことで、全ての薄膜トランジスタＴＲ（１，１）〜（ｎ，ｍ）に繋がる画素容量に信号が書き込まれ、液晶モジュール２の表示が行われる。
【００４０】
なお、ソースラインＳ１〜Ｓｎの駆動方式には、サンプリング（スイッチ）回路１８から全ソースラインＳ１〜Ｓｎに同時に信号（電位）を与える方式や、サンプリング（スイッチ）回路１８によって任意のソースラインＳｉを選択し、選択されたソースラインに信号電圧を与える方式等を挙げることができる。なお、各方式に従って、液晶モジュール２あるいは駆動ＩＣ１には、適当な回路（例えば、ラッチ回路やホールド回路）等が設けられる。
【００４１】
次に、本駆動ＩＣ１における駆動信号生成部の設定（駆動信号の最適化）について説明する。本駆動ＩＣ１には調整部２９（図１参照）が設けられ、この調整部２９のレジスタ２２にはあらかじめ決められたタイミング（初期値）が記憶されている。駆動信号発生器２１は、液晶モジュール駆動開始前の初期設定としてレジスタ２２から初期値を読み込み、該初期値に基づいて、ソース用およびゲート用の２つの試験駆動信号を生成するとともにこれを液晶モジュール２側に出力する。
【００４２】
そして、ゲート用の試験駆動信号は、コネクタ３０（図３参照）の配線、ゲートドライバ５内（例えば、ゲートシフトレジスタ９）、ダミーラインＤｇ１、ダミーラインＤｇ２、ダミーラインＤＬ３およびコネクタ３０の配線を通って駆動ＩＣ１（位相比較器２３）にフィードバックする。一方ソース用の試験駆動信号は、コネクタ３０の配線、ソースドライバ内（例えば、ソースシフトレジスタ８）、ダミーラインＤｓ１、ダミーラインＤｓ２、ダミーラインＤｌ３およびコネクタ３０の配線を通って駆動ＩＣ１（位相比較器２３）にフィードバックする。このように駆動ＩＣ１にフィードバックされた信号（フィードバック信号）は、駆動ＩＣ１実装時の寄生容量や寄生抵抗等に加え液晶モジュール２内部の寄生容量や寄生抵抗の影響によって、液晶モジュール２入力前の信号（ソースあるいはゲート用の試験駆動信号）より遅延している（図５のグラフ（ａ）〜（ｃ）参照）。
【００４３】
そこで、各フィードバック信号は、位相比較器２３に入力され、上記ソースあるいはゲート用の試験駆動信号と比較（位相比較）される。この比較結果（位相比較結果）は、デコーダ２４にてサンプリングおよび数値化され、加算器２５に出力される。加算器２５は、レジスタ２２の初期値とデコーダ２４からの出力を加算し、これを駆動信号発生器２１に出力する。駆動信号発生器２１は、この加算器２５からの出力に基づいて駆動信号のタイミングを調整する（最適に設定する）。
【００４４】
このように、試験駆動信号を、ソースドライバ３、ダミー配線Ｄｓ１およびＤｓ２等を経てフィードバックさせることで、調整部２９による駆動信号発生器２１の設定に、ソースドライバ３内やソースラインＳ１〜Ｓｎでの信号遅延を反映させることができる。また、試験駆動信号を、ゲートドライバ５、ダミー配線Ｄｇ１およびＤｇ２等を介してフィードバックさせることで、調整部２９による駆動信号発生器２１の設定に、ゲートドライバ５内やゲートラインＧ１〜Ｇｎでの信号遅延を反映させることができる。また、ダミー配線Ｄｓ１・Ｄｇ１が非表示領域の画素部を通過するため、画素部２ｙの構成部材（例えば、液晶）に起因する（例えば、液晶の寄生容量に起因する）信号遅延が検出可能となり、これを調整部２９による駆動信号発生器２１の設定に反映させることができる。以上により、駆動ＩＣ１がユーザー等によって任意実装されても、駆動信号発生器２１は最適な駆動信号（ゲート駆動信号およびソース駆動信号）を生成し、これを液晶モジュール２に出力することができる。そして、この最適なタイミングの駆動信号（ゲート駆動信号およびソース駆動信号）をもって液晶モジュール２の各ドライバ３・５が駆動されることで、表示品位向上や省電力化が可能となる。
【００４５】
以下に、位相比較器２３の構成およびその波形整形について、図４および図５グラフ（ａ）〜（ｆ）を参照して説明する。図４に示されるように、駆動信号発生器２１から出力した試験駆動信号（図５グラフ（ｃ）参照）および液晶モジュール２から入力されたフィードバック（ＦＢ）信号（図５グラフ（ａ）参照）は、それぞれ端子Ｑおよび端子Ｐに入力される。２つの信号はサンプリング信号のタイミングでサンプリングされる。そして、試験駆動信号はそのままラッチされる一方（図５グラフ（ｅ）参照）、ＦＢ信号はシュミットトリガ素子で波形整形された後にラッチされる（図５グラフ（ｄ）参照）。その後ＦＢ信号だけを反転した後にアンドがとられ、これが比較器出力信号（図５グラフ（ｆ）参照）として、調整部２９（図１参照）に出力される。
【産業上の利用可能性】
【００４６】
本液晶モジュールおよび駆動ＩＣは、携帯電話、デジタルカメラ、ＰＤＡなどの中小型表示デバイスに好適であり、車両のインパネ等への適用も可能である。
【図面の簡単な説明】
【００４７】
【図１】本発明の駆動ＩＣの構成を示すブロック図である。
【図２】本発明の液晶モジュールの構成を示すブロック図である。
【図３】上記駆動ＩＣと上記液晶モジュールを接続した場合の構成を示すブロック図である。
【図４】本駆動ＩＣの位相比較器の構成を示すブロック図である。
【図５】図４の位相比較器でみられる各信号波形を示すグラフである。
【図６】駆動ＩＣおよび液晶モジュールでの信号遅延の原因を説明する模式図である。
【図７】図６の各部での信号波形を示すグラフである。
【図８】従来の外部駆動装置および表示パネルの構成を示す模式図である。
【符号の説明】
【００４８】
１  駆動ＩＣ（表示装置の駆動装置）
２  液晶モジュール（表示装置・液晶表示装置）
２ｘ  表示領域
２ｙ  画素部
３  ソースドライバ
５  ゲートドライバ
８  ソースシフトレジスタ
９  ゲートシフトレジスタ
１１  ＤＡ変換器
１２  レベルシフタ
２１  駆動信号発生器（駆動信号生成部）
２２  レジスタ
２３  位相比較器（比較部）
２４  デコーダ
２５  加算器
２９  調整部
３３  信号処理部
Ｄｓ１・Ｄｓ２・ＤＬ３  ダミーライン（ダミー配線）
Ｄｇ１・Ｄｇ２・Ｄｌ３  ダミーライン（ダミー配線）
Ｓ１〜Ｓｎ  ソースライン（データ信号線）
Ｇ１〜Ｇｎ  ゲートライン（走査信号線）
ＴＲ（ｉ，ｊ）  薄膜トランジスタ
【図１】
2006267942.tif 000003
【図２】
2006267942.tif 000004
【図３】
2006267942.tif 000005
【図４】
2006267942.tif 000006
【図５】
2006267942.tif 000007
【図６】
2006267942.tif 000008
【図７】
2006267942.tif 000009
【図８】
2006267942.tif 000010